(57)【要約】【課題】  ネットワークに接続可能な携帯機器を、所定の空間に存在する携帯機器に限定できる「データ通信装置」、「システム」、「携帯機器」、および「携帯機器の検出方法」を提供する。【解決手段】  無線通信を介して携帯機器Ａとの間でデータの送受信を行うデータ通信装置１０において、携帯機器Ａからの要求に応じて接続確認用の音データを送信するデータ送信部１４と、携帯機器Ａが接続確認用の音データを再生したデータを認識する音データ認識部１５と、音データ認識部１５が認識したデータとデータ送信部１４が携帯機器Ａ１に送信した接続確認用の音データが同じものであるかどうかを照合する認識用音データ照合処理部１７とを備える。データ通信装置１０は、携帯機器Ａが車内に存在する場合、再生データを認識することができる。これにより、無線通信のネットワークに接続可能な携帯機器を、所定の空間に存在する携帯機器に限定することができる。【選択図】        図２
2005217462.tif 000002
【特許請求の範囲】
【請求項１】
無線通信を介して携帯機器との間でデータの送受信を行うデータ通信装置において、
前記携帯機器からの要求に応じて所定のデータを送信する送信手段と、
前記携帯機器が前記データを再生したデータを認識する認識手段と、
前記認識手段が認識したデータと前記携帯機器に送信したデータが同じものであるかどうかを照合する照合手段とを備えることを特徴とするデータ通信装置。
【請求項２】
前記送信手段は、携帯電話ごとに異なるデータを送信することを特徴とする請求項１記載のデータ通信装置。
【請求項３】
携帯機器と、無線通信を介して前記携帯機器との間でデータの送受信を行うデータ通信装置を備えたシステムであって、
前記データ通信装置は、請求項１または請求項２記載のデータ通信装置であることを特徴とするシステム。
【請求項４】
前記携帯機器は、前記データ通信装置への接続要求の際に前記データ通信装置から受信するデータが再生できるモードに切り替わることを特徴とする請求項３記載のシステム。
【請求項５】
無線通信を介してデータ通信装置との間でデータの送受信を行う携帯機器において、
前記データ通信装置に所定のデータを送信する送信手段と、
前記データ通信装置が前記データを再生したデータを認識する認識手段と、
前記認識手段が認識したデータと前記データ通信装置に送信したデータが同じものであるかどうかを照合する照合手段とを備えることを特徴とする携帯機器。
【請求項６】
無線通信を介して接続される携帯機器を検出する携帯機器の検出方法において、
前記携帯機器からの要求に応じて所定のデータを送信する第１のステップと、
前記携帯機器が前記データを再生するデータを認識する第２のステップと、
前記第２のステップで認識したデータと前記携帯機器に送信したデータが同じものであるかどうかを照合する第３のステップとを有することを特徴とする携帯機器の検出方法。
【請求項７】
前記携帯機器の検出方法は更に、所定時間毎に、前記第１から前記第３のステップを行うステップを有することを特徴とする請求項６記載の携帯機器の検出方法。
【発明の詳細な説明】
【技術分野】
【０００１】
本発明は、データ通信装置、システム、携帯機器および携帯機器の検出方法に関する。
【背景技術】
【０００２】
従来から、自動車に搭載された音響機器で、乗員は車内で様々な音楽を楽しむことができるようになっている。また、近年では、近距離無線通信を用いて音響機器から携帯機器に音楽データをダウンロードして、携帯機器でダウンロードした音楽データを再生することができるようになってきている。特許文献１記載のシステムは、音響機器と携帯音響機器を備え、各機器間で車内無線通信を介して音楽データ等の送受信を行うことで、複数の乗員が自動車に乗り込んだ際にも、各乗員がそれぞれ好きな音楽を車内で楽しむことができるというものである。
【０００３】
【特許文献１】特開２００１−２９６８７５５号公報
【発明の開示】
【発明が解決しようとする課題】
【０００４】
しかしながら、上記携帯機器の接続認証では、ＩＤやパスワードなどを利用するが一般的であるが、ネットワークに接続する携帯機器を車内に存在する携帯機器に制限したい場合、ＩＤやパスワードを用いても、ネットワークに接続可能な携帯機器を厳密に制限することはできない。
【０００５】
また、電波強度をコントロールして、ある程度の範囲を制限する技術も存在するが、電波強度で通信エリアを制限する技術では、車外に存在し、ネットワークに接続する必要のない携帯機器までネットワークに接続されてしまうという問題がある。
【０００６】
そこで、本発明はこれらの問題を解決するためになされたもので、ネットワークに接続可能な携帯機器を、所定の空間に存在する携帯機器に限定できるデータ通信装置、システム、携帯機器、および携帯機器の検出方法を提供することを目的とする。
【課題を解決するための手段】
【０００７】
上記課題を解決するために、本発明のデータ通信装置は、無線通信を介して携帯機器との間でデータの送受信を行うデータ通信装置において、前記携帯機器からの要求に応じて所定のデータを送信する送信手段と、前記携帯機器が前記データを再生したデータを認識する認識手段と、前記認識手段が認識したデータと前記携帯機器に送信したデータが同じものであるかどうかを照合する照合手段とを備えることを特徴とする。
【０００８】
本発明によれば、例えば音データを携帯機器に送信し、携帯機器がこの音データを再生し、再生後のデータを認識し、認識した音データと送信した音データが同じ場合に携帯機器の通信許可を行う。このため、データ通信装置は、携帯機器が所定の位置に存在する場合、再生データを認識することができる。これにより、無線通信のネットワークに接続可能な携帯機器を、所定の空間に存在する携帯機器だけに限定することができる。
【０００９】
また、本発明は、上記構成において、前記送信手段は、携帯電話ごとに異なるデータを送信することを特徴とする。本発明によれば、携帯電話ごとに異なるデータを送信することで、各携帯電話を識別することができる。
【００１０】
また、本発明のシステムは、携帯機器と、無線通信を介して前記携帯機器との間でデータの送受信を行うデータ通信装置を備えたシステムであって、前記データ通信装置は、上記データ通信装置であることを特徴とする。本発明によれば、無線通信のネットワークに接続可能な携帯機器を、所定の位置に存在する携帯機器に限定できるシステムを提供することができる。
【００１１】
また、本発明は、上記システムにおいて、前記携帯機器は、前記データ通信装置への接続要求の際に前記データ通信装置から受信するデータが再生できるモードに切り替わることを特徴とする。本発明によれば、通信機器への接続要求の際に、通信機器から受信するデータを再生できるモードに切り替わるので、携帯機器が例えば、マナーモード時やボリュームオフ時であっても、データを再生できる状態にできる。
【００１２】
また、本発明の携帯機器は、無線通信を介してデータ通信装置との間でデータの送受信を行う携帯機器において、前記データ通信装置に所定のデータを送信する送信手段と、前記データ通信装置が前記データを再生したデータを認識する認識手段と、前記認識手段が認識したデータと前記データ通信装置に送信したデータが同じものであるかどうかを照合する照合手段とを備えることを特徴とする。
【００１３】
本発明によれば、例えば音データをデータ通信装置に送信し、データ通信装置がこの音データを再生し、再生後のデータを認識し、認識した音データと送信した音データが同じ場合に照合結果をデータ通信装置に通知する。このため、データ通信装置は、携帯機器が所定の位置に存在する場合、再生データを認識することができる。これにより、無線通信のネットワークに接続可能な携帯機器を、所定の位置に存在する携帯機器に限定することができる。
【００１４】
本発明の携帯機器の検出方法は、無線通信を介して接続される携帯機器を検出する携帯機器の検出方法において、前記携帯機器からの要求に応じて所定のデータを送信する第１のステップと、前記携帯機器が前記データを再生するデータを認識する第２のステップと、前記第２のステップで認識したデータと前記携帯機器に送信したデータが同じものであるかどうかを照合する第３のステップとを有することを特徴とする。
【００１５】
本発明によれば、例えば音データを携帯機器に送信し、携帯機器がこの音データを再生し、再生後のデータを認識し、認識した音データと送信した音データが同じ場合に携帯機器の通信許可を行う。このため、データ通信装置は、携帯機器が所定の位置に存在する場合、再生データを認識することができる。これにより、無線通信のネットワークに接続可能な携帯機器を、所定の位置に存在する携帯機器に限定することができる。
【００１６】
本発明は、上記携帯機器の検出方法において、更に、所定時間毎に、前記第１から前記第３のステップを行うステップを有することを特徴とする。本発明によれば、所定時間毎に、無線通信のネットワークに接続可能な携帯機器を再確認できる。
【発明の効果】
【００１７】
本発明によれば、ネットワークに接続可能な携帯機器を、所定の空間に存在する携帯機器に限定できるデータ通信装置、システム、携帯機器、および携帯機器の検出方法を提供できる。
【発明を実施するための最良の形態】
【００１８】
以下、本発明を実施するための最良の形態について説明する。
【実施例１】
【００１９】
図１は、第１実施例に係るシステムの概要を説明するための図である。図１において、符号１は自動車を示している。この自動車１には、データ通信装置１０が搭載されている。このデータ通信装置１０は、無線通信によりネットワークを介して携帯機器Ａ、Ｂとの間でデータの送受信を行うものである。データ通信装置１０は、例えば音響機器やナビゲーション装置に組み込まれるものであってもよい。
【００２０】
図２は、第１実施例に係るシステム２のブロック図である。システム２は、データ通信装置１０、携帯機器Ａを備える。携帯機器Ｂは、携帯機器Ａと同一構成であるため、省略している。図２に示すように、データ通信装置１０は、ネットワーク認識部１１、認識用音データ生成部１２、データ送信処理部１３、データ送信部１４、音データ認識部１５、通信許可登録処理部１６、認識用音データ照合処理部１７、通信許可端末情報格納部１８、通信許可確認処理部１９、データ受信部２０、データ受信処理部２１を備える。
【００２１】
また、携帯機器Ａは、ＣＰＵ３１、ＲＡＭ３２、ＲＯＭ３３、送受信モジュール３４、アンテナ３５、アンプ３６、スピーカ３７を備える。この携帯機器Ａは、アンテナ３５を介してデータ通信装置１０と無線通信を行うことができる。携帯機器Ａには、携帯電話、ＰＤＡ（Personal Digital Assistant）等が含まれる。
【００２２】
この携帯機器Ａは、データ通信装置１０への接続要求の際にデータ通信装置１０から受信する音データが再生できるモードに切り替わる。これにより、例えば携帯機器Ａが例えば、マナーモード時やボリュームオフ時であっても、接続確認用の音データを再生できる状態にする。また、この携帯機器ＡのＣＰＵ３１は、データ通信装置１０から音データを取得すると、アンプ３６、スピーカ３７を介して音データを再生する。
【００２３】
データ通信装置１０は、ＣＰＵ（Central Processing Unit）等を用いて構成され、携帯機器Ａが車内の空間に存在している場合に通信を許可し、携帯機器Ａとデータ通信を行い、携帯機器Ａが車内の空間に存在していない場合、通信を許可しない。ネットワーク認識部１１は、携帯機器Ａから通信要求を受け付けると、携帯機器Ａにネットワークアドレスを付与する。
【００２４】
認識用音データ生成部１２は、ネットワーク認識部１１が携帯機器Ａから通信要求を受け付けると、携帯機器Ａの識別番号に応じて接続認識用の音データを生成する。この認識用音データ生成部１２は、接続要求をしている携帯電話ごとに異なるデータを生成する。認識用音データ生成部１２は、接続確認用の音データの生成に際して、接続確認用の音データを予め用意しておいても良いし、音響機器のＣＤから接続確認用の音データを取得するようにしてもよい。
【００２５】
データ送信処理部１３は、認識用音データ生成部１２からの接続確認用の音データを圧縮する等の処理を行う。データ送信部１４は、接続確認用の音データを携帯機器Ａに送信する。携帯機器ＡのＣＰＵ３１は、アンテナ３５を介してデータ通信装置１０から接続確認用の音データを受信すると、アンプ３６、スピーカ３７を介して接続確認用の音データを再生する。
【００２６】
音データ認識部１５は、例えば、マイクロホンにより構成され、携帯機器Ａが再生した音を認識する。通信許可登録処理部１６は、通信許可登録処理を行う。認識用音データ照合処理部１７は、音データ認識部１５が認識した音データと、携帯機器Ａに送信した音データが同じものであるかどうかを照合する。通信許可端末情報格納部１８は、通信が許可された端末（携帯機器Ａ）の情報を格納する。通信許可確認処理部１９は、通信許可端末情報格納部１８から携帯機器Ａの情報を取得し、通信許可確認処理を行う。データ受信部２０は、通信許可確認処理部１９から携帯機器Ａの通信許可を取得すると、携帯機器Ａからのデータ受信を受け付ける。データ受信処理部２１は、データ受信部２０が受信したデータに対して所定の処理を施す。
【００２７】
次に第１実施例に係るシステムの動作について説明する。図３は、第１実施例に係るシステムの動作フローチャートである。図１に示すように、携帯機器Ａが自動車１の車内にあり、携帯機器Ｂが自動車１の車外にあるものとして以下説明を行う。
【００２８】
まず、携帯機器Ａの認証処理について説明する。ステップＳ２１で、携帯機器Ａは、データ通信装置１０に通信要求をする。ステップＳ１１で、ネットワーク認識部１１は、携帯機器Ａからの通信要求があったかどうかを判断する。ただし、ネットワーク認識のみでリソース利用許可はしない。認識用音データ生成部１２は、通信要求があった場合、携帯機器Ａの識別番号に応じて接続認識用の音データを生成する。データ送信処理部１３は、認識用音データ生成部１２からの接続確認用の音データに対して圧縮等の所定の送信処理を行う。
【００２９】
ステップＳ１２で、データ送信部１４は、接続確認用の音データを携帯機器Ａに送信する。ステップＳ２２で、携帯機器Ａはアンテナ３５を介してデータ通信装置１０から接続確認用の音データを受信する。ステップＳ２３で、携帯機器ＡのＣＰＵ３１は、アンプ３６、スピーカ３７を介して接続確認用の音データを再生する。ステップＳ１３で、音データ認識部１５は、携帯機器Ａからの接続確認用の音データが認識できるかどうかを判断する。
【００３０】
音データ認識部１５は携帯機器Ａが自動車１の車内に存在する場合、携帯機器Ａが再生する接続確認用の音データを認識することができるが、携帯機器Ａが自動車１の車外に存在する場合、携帯機器Ａが再生する接続確認用の音データを認識することができない。
【００３１】
通信許可登録処理部１６は、携帯機器Ａの通信許可登録のための処理を行う。認識用音データ照合処理部１７は、音データ認識部１５が認識した音データと認識用音データ生成部１２が生成した接続認識用の音データの照合を行い、音データが同じであれば、通信許可端末情報格納部１８に登録処理を行う。通信許可確認処理部１９は、通信許可端末情報格納部１８から携帯機器Ａの情報を読み出し、データ受信のための情報をデータ受信部２０に設定する。これにより、携帯機器Ａはネットワークを介してデータ通信装置１０との間でデータの送受信を行うことができで、リソース利用が許可される。
【００３２】
携帯機器Ａは、所定時間毎に、再度接続確認用の音楽データを再生することで、データ通信装置１０は、再度上記照合処理を行う。これにより、所定時間毎に、無線通信のネットワークに接続可能な携帯機器を再確認できる。
【００３３】
次に、携帯機器Ｂの認証処理について説明する。ステップＳ３１で、携帯機器Ｂは、データ通信装置１０に通信要求をする。ステップＳ１１で、ネットワーク認識部１１は、携帯機器Ｂからの通信要求があったかどうかを判断する。認識用音データ生成部１２は、通信要求があった場合、携帯機器Ｂの識別番号に応じて接続認識用音データを生成する。データ送信処理部１３は、認識用音データ生成部１２からの接続確認用の音データに対して圧縮等の所定の送信処理を行う。ステップＳ１２で、データ送信部１４は、接続確認用の音データを携帯機器Ｂに送信する。
【００３４】
ステップＳ２２で、携帯機器Ｂはアンテナ３５を介してデータ通信装置１０から接続確認用の音データを受信する。携帯機器Ｂは、自動車１の車外にあるが、近距離無線通信のエリア内にあれば、接続確認用の音データを受信することができ、近距離無線通信のエリア外にある場合、接続確認用の音データを受信することができない。
【００３５】
ステップＳ２３で、携帯機器ＢのＣＰＵ３１は、アンプ３６、スピーカ３７を介して接続確認用の音データを再生する。ステップＳ１３で、音データ認識部１５は、携帯機器Ｂからの接続確認用の音データが認識できるかどうかを判断する。ここで、携帯機器Ｂは、自動車１の車外に存在するため、音データ認識部１５は携帯機器Ｂが再生する接続確認用の音データを認識することができない。このため、データ通信装置１０は携帯機器Ｂの認識処理を終了する。これにより、携帯機器Ｂはネットワーク接続が遮断され、リソースを利用することができない。
【００３６】
なお、例えば、認識用音データ生成部１２、データ送信処理部１３、データ送信部１４が特許請求の範囲における携帯機器からの要求に応じて所定のデータを送信する送信手段に相当する。また、音データ認識部１５、認識用音データ照合処理部１７が、特許請求の範囲における認識手段、照合手段にそれぞれ相当する。
【００３７】
第１実施例によれば、車室内に持ち込まれた無線に対応した携帯機器接続の際、データ通信装置１０から携帯機器へ送信した音楽データを携帯機器Ａ、Ｂが再生し、その再生音をデータ通信装置１０が検知した場合、携帯機器が車室内に存在することを判断する。携帯機器が車室外に存在すれば、データ通信装置１０の再生音の検知が困難になる。これにより、車室内に存在する携帯機器のみ接続許可をすることが可能となる。
【実施例２】
【００３８】
次に第２実施例について説明する。第２実施例では、第１実施例とは反対に、携帯機器Ａ１が接続確認用の音データをデータ通信装置に送信するようにしたものである。なお、第２実施例でも携帯機器Ａ１が自動車１の車内に存在し、携帯機器Ｂ１が自動車１の車外に存在するものとして図１を用いて以下説明する。図４は第２実施例に係るシステム３００のブロック図である。
【００３９】
システム３００は、データ通信装置１００、携帯機器Ａ１を備える。携帯機器Ａ１は、ネットワーク認識部２０１、認識用音データ生成部２０２、データ送信処理部２０３、データ送信部２０４、音データ認識部２０５、認識用音データ照合処理部２０６、データ受信部２０７、データ受信処理部２０８を備える。この携帯機器Ａ１は、無線通信を介してデータ通信装置１００との間でデータの送受信を行う。
【００４０】
データ通信装置１００は、ＣＰＵ１０１、ＲＡＭ１０２、ＲＯＭ１０３、送受信モジュール１０４、アンテナ１０５、アンプ１０６、スピーカ１０７を備える。なお、携帯機器Ｂ１は、携帯機器Ａ１と同一構成であるため、ここでは説明を省略する。まず、データ通信装置１００は、携帯機器Ａ１に通信要求を行う。携帯機器Ａ１のネットワーク認識部２０１は、データ通信装置１００からの通信要求があったかどうかを判断する。
【００４１】
認識用音データ生成部２２０は、通信要求があった場合、接続認識用の音データを生成する。データ送信処理部２０２は、接続確認用の音データに対して圧縮等の所定の送信処理を行う。データ送信部２０４は、接続確認用の音データをデータ通信装置１００に送信する。データ通信装置１００は、アンテナ１０５を介して携帯機器Ａ１から接続確認用の音データを受信する。データ通信機器１００のＣＰＵ１０１は、アンプ１０６、スピーカ３７を介して接続確認用の音データを再生する。
【００４２】
携帯機器Ａ１の音データ認識部２０５は、データ通信装置１００が再生した接続確認用の音データが認識できるかどうかを判断する。音データ認識部２０５は、携帯機器Ａが自動車１の車内に存在する場合、データ通信装置１００が再生する接続確認用の音データを認識することができるが、携帯機器Ａ１が自動車１の車外に存在する場合、データ通信装置１１０が再生する接続確認用の音データを認識することができない。なお、図１に示すように、携帯機器Ｂ１は、自動車１の車外にあるため、携帯機器Ｂ１の音データ認識部２０５は、データ通信装置１００が再生する音データを認識することはできない。
【００４３】
認識用音データ照合処理部２０６は、音データ認識部２０５が認識した音データと認識用音データ生成部２０２が生成した接続確認用の音データが同じものであるかどうかを照合し、音データが同じであれば、データ送信処理部２０３、データ送信部２０４を介して、照合結果をデータ通信装置１００に送信する。これにより、データ通信装置１００は、車内に存在する携帯機器を検出することができ、携帯機器Ａ１のネットワーク接続を継続し、データ通信装置１００と携帯機器Ａ１間で近距離無線通信を用いてデータ通信が行われる。よって、携帯機器Ａ１は、データ通信装置１００から音楽データや映像データをダウンロードすることができる。
【００４４】
なお、例えば、認識用音データ生成部２０２、データ送信処理部２０３、データ送信部２０４が特許請求の範囲におけるデータ通信装置に所定のデータを送信する送信手段に相当する。また、音データ認識部２０５、認識用音データ照合処理部２０６が、特許請求の範囲における認識手段、照合手段にそれぞれ相当する。
【００４５】
第２実施例によれば、音データをデータ通信装置１００に送信し、データ通信装置１００がこの音データを再生し、再生後のデータを認識し、認識した音データと送信した音データが同じ場合に照合結果をデータ通信装置１００に通知する。このため、データ通信装置１００は、携帯機器Ａ１が車内に存在する場合、再生データを認識することができ、携帯機器Ａ１が車内に存在しない場合、再生データを認識することができない。これにより、無線通信のネットワークに接続可能な携帯機器を、車内に存在する携帯機器に限定することができる。
【００４６】
以上、本発明の好ましい実施例について詳述したが、本発明は係る特定の実施例に限定されるものではなく、特許請求の範囲に記載された本発明の要旨の範囲内において、種々の変形・変更が可能である。例えば、上記実施例では、データの例として、音データを用いて説明したが、本発明はこれに限定されることなく、人間が確認できる光等のデータであっても良い。光を用いる場合、光を発する側は発光素子を備え、光を受光する側は受光素子を備えることで、本発明を実現できる。
【図面の簡単な説明】
【００４７】
【図１】第１実施例に係るシステムの概要を説明するための図である。
【図２】第１実施例に係るシステムのブロック図である。
【図３】第１実施例に係るシステムの動作フローチャートである。
【図４】第２実施例に係るシステムのブロック図である。
【符号の説明】
【００４８】
１  自動車
２、３００  システム
１０  データ通信装置
Ａ、Ａ１、Ｂ、Ｂ１  携帯機器
１１、２０１  ネットワーク認識部
１２、２０２  認識用音データ生成部
１５、２０５  音データ認識部
１７、２０６  認識用音データ照合処理部
１８  通信許可端末情報格納部
１９  通信許可確認処理部
【図１】
2005217462.tif 000003
【図２】
2005217462.tif 000004
【図３】
2005217462.tif 000005
【図４】
2005217462.tif 000006